(57)【要約】【課題】幼児や子供による誤った開封を抑制可能でかつ部品点数の削減が可能な薬液供給器具を提供すること。【解決手段】薬液供給器具であって、収容部と口部（１６）とを有する容器と、内装キャップ（３０）と、外装キャップ（６０）と、を備え、内装キャップ（３０）及び外装キャップ（６０）は、ラチェット機構（５０，８０）を有し、内装キャップ（３０）は、内装キャップ本体（３２）と、内装側突出部（５４）と、を有し、内装キャップ本体（３２）は、コンタクトリング（４４）を有し、外装キャップ（６０）は、外装キャップ本体（６２）と、内装側突出部（５４）と係合可能な形状を有する外装側突出部（８４）と、を有し、コンタクトリング（４４）は、内装キャップ本体（３２）の径方向について内装側突出部（５４）から離間した位置に設けられていること。【選択図】図５
2018158754.tif 000002
【特許請求の範囲】
【請求項１】
薬液供給器具であって、
筒状に形成されており薬液を収容可能な収容部と、前記収容部に接続されており円筒状に形成されているとともに雄ねじ部を有する口部と、を有する容器と、
前記口部の前記雄ねじ部に螺合可能な雌ねじ部を有するとともに前記口部の開口を閉塞可能な形状を有し、かつ、合成樹脂からなる内装キャップと、
前記内装キャップの外側に設けられた外装キャップと、を備え、
前記内装キャップ及び前記外装キャップは、互いに係合及び離脱することが可能なラチェット機構を有し、
前記ラチェット機構は、前記外装キャップが前記内装キャップに向けて押し込まれた状態で互いに係合することによって当該外装キャップが前記口部に対して開く方向に回転操作されたときに前記外装キャップ及び前記内装キャップを一体的に回転させ、かつ、前記外装キャップが前記内装キャップに向けて押し込まれていない状態で互いに離間することによって当該外装キャップが前記口部に対して開く方向に回転操作されたときに前記外装キャップを前記内装キャップに対して相対回転させ、
前記内装キャップは、
前記雌ねじ部を有するとともに前記口部の開口を塞ぐ形状を有する内装キャップ本体と、
前記内装キャップ本体の外面から前記外装キャップに向かって突出する形状を有する内装側突出部と、を有し、
前記内装キャップ本体は、当該内装キャップ本体の中心軸回りに円環状に形成され、前記口部又は前記口部に取り付けられる中栓に当接することによって前記容器内を密閉可能なコンタクトリングを有し、
前記外装キャップは、
前記内装キャップ本体を覆う形状を有する外装キャップ本体と、
前記外装キャップ本体の内面から前記内装キャップ本体に向かって突出するとともに前記内装側突出部と係合可能な形状を有する外装側突出部と、を有し、
前記内装側突出部及び前記外装側突出部のいずれか一方の突出部は、前記外装キャップ本体が前記内装キャップ本体に向けて押し込まれていない状態である非押し込み状態において前記ラチェット機構が互いに離間するように前記内装キャップ本体に対して前記外装キャップ本体を付勢しており、前記非押し込み状態で前記外装キャップ本体が前記口部に対して閉まる方向に回転操作されたときに前記内装キャップ本体が前記外装キャップ本体と一体的に回転するように前記内装側突出部及び前記外装側突出部の他方の突出部に係合し、前記非押し込み状態で前記外装キャップ本体が前記口部に対して開く方向に回転操作されたときに弾性変形を伴いながら前記他方の突出部を乗り越え、
前記コンタクトリングは、前記内装キャップ本体の径方向について前記内装側突出部から離間した位置に設けられている、薬液供給器具。
【請求項２】
請求項１に記載の薬液供給器具において、
前記外装側突出部が前記一方の突出部を構成し、前記外装側突出部は、それぞれが前記外装キャップ本体から前記内装キャップ本体に向かって延びる形状を有するとともに、前記外装キャップ本体と前記内装キャップ本体とを結ぶ方向に撓むように弾性形可能な複数のバネ片を含み、
前記内装側突出部が前記他方の突出部を構成し、前記内装側突出部は、それぞれが各バネ片の下端部と係合可能な形状を有する複数のリブを含み、
各リブは、
前記非押し込み状態で前記外装キャップ本体が前記口部に対して閉まる方向に回転操作されたときに各バネ片を受ける受け部と、
前記非押し込み状態で前記外装キャップ本体が前記口部に対して開く方向に回転操作されたときに各バネ片が弾性変形しながら当該リブを乗り越えるように案内する案内部と、を有する、薬液供給器具。
【請求項３】
請求項２に記載の薬液供給器具において、
前記内装キャップ本体は、
前記雌ねじ部を有する内装周壁と、
前記内装周壁の上端部に接続されており前記コンタクトリングを支持する内装上壁と、を有し、
前記内装上壁の上面は、前記内装周壁の軸方向について前記外装キャップ本体に向かって凸となるように湾曲する形状を有する、薬液供給器具。
【請求項４】
請求項２に記載の薬液供給器具において、
前記内装キャップ本体は、
前記雌ねじ部を有する内装周壁と、
前記内装周壁の上端部に接続されており前記コンタクトリングを支持する内装上壁と、を有し、
前記内装上壁のうち前記コンタクトリングよりも内側の部位の上面は、前記内装周壁の軸方向と直交し、前記内装上壁のうち前記コンタクトリングよりも内側の部位の下面は、前記内装周壁の軸方向について前記外装キャップ本体に向かって凸となるように湾曲する形状を有する、薬液供給器具。
【請求項５】
請求項１ないし４のいずれかに記載の薬液供給器具において、
前記内装キャップは、前記内装キャップ本体の外面に設けられた複数の係止部をさらに有し、
前記外装キャップは、前記外装キャップ本体の内面に設けられており、前記複数の係止部のそれぞれに係合する形状を有するとともに、前記複数の係止部とともに前記ラチェット機構を構成する複数の被係止部をさらに有し、
前記コンタクトリングは、前記内装キャップ本体の径方向について前記係止部から離間した位置に設けられている、薬液供給器具。
【請求項６】
請求項２ないし５のいずれかに記載の薬液供給器具において、
各バネ片は、螺旋状に形成されている、薬液供給器具。
【請求項７】
請求項２ないし６のいずれかに記載の薬液供給器具において、
各リブは、前記外装キャップ本体と前記内装キャップ本体とを結ぶ方向について前記複数のバネ片のそれぞれの基端部を結ぶ円と重なる部位に設けられている、薬液供給器具。
【発明の詳細な説明】
【技術分野】
【０００１】
本発明は、皮膚等の被供給部に薬液を供給するための薬液供給器具に関する。
【背景技術】
【０００２】
従来、被供給部に薬液を供給するための薬液供給器具や、薬液を収容する薬液収容器具として、幼児や子供等による誤った開封を防止するいわゆるチャイルドレジスタント機構（チャイルドプルーフ機構）を備えたものが知られている。例えば、特許文献１には、筒状に形成された容器と、容器の口筒部に螺合可能な内側キャップ部材と、内側キャップ部材に被せられた外側キャップ部材と、内側キャップ部材と口部との間に設けられており容器内を密閉するシール板と、を備える収容器具が開示されている。内側キャップ部材及び外側キャップ部材は、チャイルドレジスタント機構として、互いに係合及び離脱することが可能なラチェット機構を有している。具体的に、内側キャップ部材の頂板の外縁部には、複数の駆動部材が周方向に沿って等間隔に設けられており、外側キャップ部材の天板の下面の外縁部には、各駆動部材に係合可能な複数の駆動突起が周方向に沿って等間隔に設けられている。各駆動突起は、外側キャップ部材が内側キャップ部材に向けて押し込まれることにより各駆動部材に係合する。
【０００３】
また、外側キャップ部材の天板の内面には、当該天板を内側キャップ部材から離間させる方向に付勢する複数の板ばね部材が設けられており、内側キャップ部材の頂板の上面には、各板ばね部材の下端部と係合可能なラチェット突起が設けられている。各板ばね部材は、外側キャップ部材の天板から内側キャップ部材の頂板に向かって延びる形状を有しており、弾性変形可能である。ラチェット突起は、外側キャップ部材が内側キャップ部材に対して閉まる方向に回転操作されたときに各板ばね部材と係合し、かつ、外側キャップ部材が内側キャップ部材に対して開く方向に回転操作されたときに各板ばね部材が当該ラチェット突起を乗り越えるのを許容する形状を有している。
【０００４】
この収容器具では、外側キャップ部材が内側キャップ部材に向けて押し込まれていない状態（各駆動突起が各駆動部材に係合していない状態）で外側キャップ部材が容器の口部に対して開く方向に相対回転されたとしても、外側キャップ部材は内側キャップ部材に対して相対回転するので、外側キャップ部材及び内側キャップ部材は容器から取り外されない（開封されない）。このとき、各板ばね部材は、弾性変形を伴いながら各ラチェット突起を乗り越える。一方、各板ばね部材の付勢力に抗して外側キャップ部材が内側キャップ部材に向けて押し込まれた状態（各駆動突起が各駆動部材に係合した状態）で外側キャップ部材が容器の口部に対して回転されることにより、外側キャップ部材及び内側キャップ部材が一体的に容器の口部に対して相対回転するので、外側キャップ部材及び内側キャップ部材は容器から取り外される（開封される）。また、外側キャップ部材及び内側キャップ部材を容器に取り付けるときは、外側キャップ部材が内側キャップ部材に向けて押し込まれていない状態であっても、外側キャップ部材を閉まる方向に回転させることによって各板ばね部材の下端部が内側キャップ部材の各ラチェット突起を押圧するので、外側キャップ部材及び内側キャップ部材が一体的に口部に対して相対回転する。よって、外側キャップ部材及び内側キャップ部材が容器に取り付けられる。
【先行技術文献】
【特許文献】
【０００５】
【特許文献１】特公昭５９−１２５４１号公報
【発明の概要】
【発明が解決しようとする課題】
【０００６】
特許文献１に記載されるような収容器具では、容器からの収容体（薬液等）の漏出を防止するためのシール板を備えているため、部品点数が多くなる。このことは、薬液を供給するための薬液供給器具においても同様に生じ得る。
【０００７】
本発明の目的は、幼児や子供による誤った開封を抑制可能でかつ部品点数の削減が可能な薬液供給器具を提供することである。
【課題を解決するための手段】
【０００８】
前記課題を解決するため、容器の口部や中栓に対して上から接触することにより容器内を密閉するコンタクトリングを内装キャップに設けることが考えられる。このようにすれば、容器の口部と内装キャップとの間で容器内を封止するシール部材の省略が可能となる。しかしながら、内装キャップ側のラチェット突起とコンタクトリングとが内装キャップの軸方向に重なる位置に設けられる場合、内装キャップが合成樹脂により成形されたときにコンタクトリングにヒケが生じる懸念（容器内の密閉が不十分となる懸念）がある。
【０００９】
そこで、本発明は、薬液供給器具であって、筒状に形成されており薬液を収容可能な収容部と、前記収容部に接続されており円筒状に形成されているとともに雄ねじ部を有する口部と、を有する容器と、前記口部の前記雄ねじ部に螺合可能な雌ねじ部を有するとともに前記口部の開口を閉塞可能な形状を有し、かつ、合成樹脂からなる内装キャップと、前記内装キャップの外側に設けられた外装キャップと、を備え、前記内装キャップ及び前記外装キャップは、互いに係合及び離脱することが可能なラチェット機構を有し、前記ラチェット機構は、前記外装キャップが前記内装キャップに向けて押し込まれた状態で互いに係合することによって当該外装キャップが前記口部に対して開く方向に回転操作されたときに前記外装キャップ及び前記内装キャップを一体的に回転させ、かつ、前記外装キャップが前記内装キャップに向けて押し込まれていない状態で互いに離間することによって当該外装キャップが前記口部に対して開く方向に回転操作されたときに前記外装キャップを前記内装キャップに対して相対回転させ、前記内装キャップは、前記雌ねじ部を有するとともに前記口部の開口を塞ぐ形状を有する内装キャップ本体と、前記内装キャップ本体の外面から前記外装キャップに向かって突出する形状を有する内装側突出部と、を有し、前記内装キャップ本体は、当該内装キャップ本体の中心軸回りに円環状に形成され、前記口部又は前記口部に取り付けられる中栓に当接することによって前記容器内を密閉可能なコンタクトリングを有し、前記外装キャップは、前記内装キャップ本体を覆う形状を有する外装キャップ本体と、前記外装キャップ本体の内面から前記内装キャップ本体に向かって突出するとともに前記内装側突出部と係合可能な形状を有する外装側突出部と、を有し、前記内装側突出部及び前記外装側突出部のいずれか一方の突出部は、前記外装キャップ本体が前記内装キャップ本体に向けて押し込まれていない状態である非押し込み状態において前記ラチェット機構が互いに離間するように前記内装キャップ本体に対して前記外装キャップ本体を付勢しており、前記非押し込み状態で前記外装キャップ本体が前記口部に対して閉まる方向に回転操作されたときに前記内装キャップ本体が前記外装キャップ本体と一体的に回転するように前記内装側突出部及び前記外装側突出部の他方の突出部に係合し、前記非押し込み状態で前記外装キャップ本体が前記口部に対して開く方向に回転操作されたときに弾性変形を伴いながら前記他方の突出部を乗り越え、前記コンタクトリングは、前記内装キャップ本体の径方向について前記内装側突出部から離間した位置に設けられている、薬液供給器具を提供する。
【００１０】
本薬液供給器具では、コンタクトリングが内装キャップ本体の径方向について内装側突出部から離間した位置に設けられているので、内装キャップの合成樹脂での成形時における内装側突出部に起因するコンタクトリングへのヒケの発生が抑制される。よって、幼児や子供による誤った開封を抑制可能な薬液供給器具において、部品点数の削減と容器の密閉性の確保との双方が達成される。
【００１１】
この場合において、前記外装側突出部が前記一方の突出部を構成し、前記外装側突出部は、それぞれが前記外装キャップ本体から前記内装キャップ本体に向かって延びる形状を有するとともに、前記外装キャップ本体と前記内装キャップ本体とを結ぶ方向に撓むように弾性形可能な複数のバネ片を含み、前記内装側突出部が前記他方の突出部を構成し、前記内装側突出部は、それぞれが各バネ片の下端部と係合可能な形状を有する複数のリブを含み、各リブは、前記非押し込み状態で前記外装キャップ本体が前記口部に対して閉まる方向に回転操作されたときに各バネ片を受ける受け部と、前記非押し込み状態で前記外装キャップ本体が前記口部に対して開く方向に回転操作されたときに各バネ片が弾性変形しながら当該リブを乗り越えるように案内する案内部と、を有することが好ましい。
【００１２】
このようにすれば、内装キャップの製造が容易になる。具体的に、内装キャップは雌ねじ部を有するため、この内装キャップが合成樹脂で成形される際には、当該内装キャップは金型から回しながら抜かれる必要がある。よって、内装側突出部がリブを構成することにより、内装側突出部がバネ片を構成する場合に比べ、内装キャップの金型からの取外しが容易になる。
【００１３】
さらにこの場合において、前記内装キャップ本体は、前記雌ねじ部を有する内装周壁と、前記内装周壁の上端部に接続されており前記コンタクトリングを支持する内装上壁と、を有することが好ましい。
【００１４】
そして、前記内装上壁の上面は、前記内装周壁の軸方向について前記外装キャップ本体に向かって凸となるように湾曲する形状を有していてもよい。
【００１５】
この態様では、経年劣化に起因してバネ片とリブとの係合関係が悪化するのが抑制される。具体的に、内装上壁には、バネ片を介して内装周壁の軸方向に沿って内向きの荷重が作用し続けるものの、本内装上壁の上面は、外装キャップ本体に向かって凸となるように湾曲する形状を有しているので、前記荷重によって内装上壁が内向きに窪むように変形すること及びそれに起因してバネ片とリブとの係合関係が悪化することが抑制される。
【００１６】
あるいは、前記内装上壁のうち前記コンタクトリングよりも内側の部位の上面は、前記内装周壁の軸方向と直交し、前記内装上壁のうち前記コンタクトリングよりも内側の部位の下面は、前記内装周壁の軸方向について前記外装キャップ本体に向かって凸となるように湾曲する形状を有していてもよい。
【００１７】
この態様では、内装上壁のうちコンタクトリングよりも内側の部位の厚みが確保されるので、内装キャップが合成樹脂で成形される際における内装上壁の厚さに起因するコンタクトリングへのヒケの発生が抑制され、かつ、内装上壁がバネ片から受ける荷重によって内向きに窪むように変形すること及びそれに起因してバネ片とリブとの係合関係が悪化することが抑制される。
【００１８】
また、前記薬液供給器具において、前記内装キャップは、前記内装キャップ本体の外面に設けられた複数の係止部をさらに有し、前記外装キャップは、前記外装キャップ本体の内面に設けられており、前記複数の係止部のそれぞれに係合する形状を有するとともに、前記複数の係止部とともに前記ラチェット機構を構成する複数の被係止部をさらに有し、前記コンタクトリングは、前記内装キャップ本体の径方向について前記係止部から離間した位置に設けられていることが好ましい。
【００１９】
このようにすれば、内装キャップを合成樹脂で成形する際における各係止部に起因するコンタクトリングへのヒケの発生が抑制される。
【００２０】
また、前記薬液供給器具において、各バネ片は、螺旋状に形成されていることが好ましい。
【００２１】
このようにすれば、各バネ片が放射状に形成される場合に比べて各バネ片の基端部に生じる応力が低減される。
【００２２】
また、前記薬液供給器具において、各リブは前記外装キャップ本体と前記内装キャップ本体とを結ぶ方向について前記複数のバネ片のそれぞれの基端部を結ぶ円と重なる部位に設けられていることが好ましい。
【００２３】
このようにすれば、各バネ片及び各リブを介して外装キャップ本体から内装キャップ本体へ効率的に力が伝達される。このため、各バネ片が各リブから受ける抗力に起因して当該バネ片が破損することが抑制される。
【発明の効果】
【００２４】
以上のように、本発明によれば、幼児や子供による誤った開封を抑制可能でかつ部品点数の削減が可能な薬液供給器具を提供することができる。
【図面の簡単な説明】
【００２５】
【図１】本発明の一実施形態の薬液供給器具の正面図である。
【図２】図１に示される薬液供給器具の平面図である。
【図３】図１に示される薬液供給器具の底面図である。
【図４】図１に示される薬液供給器具の断面図である。
【図５】図４に示される口部、内装キャップ及び外装キャップの拡大図である。
【図６】内装キャップの正面図である。
【図７】図６のＶＩＩ−ＶＩＩ線での断面図である。
【図８】外装キャップの正面図である。
【図９】図８のＩＸ−ＩＸ線での断面図である。
【図１０】被係止部の開時押圧面が係止部の開時被押圧面を押圧している状態を示す図である。
【図１１】内装キャップの変形例を示す断面図である。
【図１２】外装キャップの変形例を示す断面図である。
【発明を実施するための形態】
【００２６】
本発明の一実施形態の薬液供給器具１について、図１〜図１０を参照しながら説明する。本薬液供給器具１は、皮膚等の被供給部に薬液を供給するためのものであって、幼児や子供等による誤った開封を防止するいわゆるチャイルドレジスタント機構（チャイルドプルーフ機構）を備えたものである。なお、薬液供給器具１の使用時の姿勢は限定されないが、以下では、便宜上、図１に基づいて上下方向を定義する。
【００２７】
図１、図４、図５等に示されるように、薬液供給器具１は、容器１０と、中栓２０と、内装キャップ３０と、外装キャップ６０と、を備えている。内装キャップ３０及び外装キャップ６０は、前記チャイルドレジスタント機能として、互いに係合及び離脱することが可能なラチェット機構を有する。ラチェット機構は、外装キャップ６０が内装キャップ３０に向けて押し込まれた状態で互いに係合することによって外装キャップ６０が回転操作されたときに外装キャップ６０及び内装キャップ３０を一体的に回転させ、かつ、外装キャップ６０が内装キャップ３０に向けて押し込まれていない状態で互いに離間することによって外装キャップ６０が回転操作されたときに外装キャップ６０を内装キャップ３０に対して相対回転させる（空回りさせる）構造を有する。このラチェット機構の詳細については、後述する。
【００２８】
容器１０は、収容部１１と、首部１５と、口部１６と、を有する。
【００２９】
収容部１１は、薬液を収容可能である。具体的に、収容部１１は、底壁１２と、胴部１３と、縮径部１４と、を有する。
【００３０】
胴部１３は、底壁１２の縁部から起立しており、筒状に形成されている。図１及び図３に示されるように、胴部１３の軸方向と直交する第１方向（図３の上下方向）における胴部１３の寸法は、胴部１３の軸方向及び第１方向の双方に直交する第２方向（図３の左右方向）における胴部１３の寸法よりも大きい。
【００３１】
縮径部１４は、胴部１３の上端部に接続されている。縮径部１４は、胴部１３から離間する（上方に向かう）にしたがって次第に縮径する形状を有する。
【００３２】
首部１５は、縮径部１４の上端部に接続されている。
【００３３】
口部１６は、首部１５の上端部に接続されており、円筒状に形成されている。口部１６には、雄ねじ部１７が形成されている。図１及び図４に示されるように、口部１６の中心軸は、収容部１１の中心軸に対して所定角度θ傾斜している。本実施形態では、所定角度θは、６０度に設定されている。幼児や子供による誤った開封が抑制されるという観点から、当該所定角度θは、１５〜７５度に設定されることが好ましい。図２に示されるように、口部１６の軸方向を容器１０の平面視からの投影面に投影したときに形成される直線は、前記第１方向と平行である。
【００３４】
中栓２０は、口部１６に取り付けられている。中栓２０は、口部１６に圧入される中栓本体２１と、中栓本体２１に被せられておりウレタン製のスポンジからなるスポンジ部２３と、中栓本体２１とともにスポンジ部２３を挟持する挟持部２４と、を有する。中栓本体２１は、スポンジ部２３を内装キャップ３０の内装上壁に向けて（図５の左方向に）付勢するとともに中栓本体２１に形成された薬液流出口２１ａを塞ぐ形状を有する付勢部２２を有する。挟持部２４は、中栓本体２１とともにスポンジ部２３の縁部を挟み込む。この薬液供給器具１の使用時（内装キャップ３０及び外装キャップ６０が取り外された状態）は、スポンジ部２３が被供給部に接する状態で付勢部２２の付勢力に抗してスポンジ部２３及び付勢部２２が押圧される。そうすると、薬液流出口２１ａから薬液が流出し、当該薬液がスポンジ部２３に含浸しつつ被供給部に供給される。
【００３５】
次に、図５〜図７を参照しながら、内装キャップ３０について説明する。内装キャップ３０は、口部１６に対して着脱自在に接続可能で、かつ、口部１６に接続された状態で容器１０内を密閉する。内装キャップ３０は、合成樹脂により形成されている。内装キャップ３０は、内装キャップ本体３２と、内装キャップ本体３２の外面に形成されており、前記ラチェット機構の一部を構成する複数の係止部５０と、内装キャップ本体３２の外面に形成されており、外装側突出部に相当する複数のリブ５４と、を有する。
【００３６】
内装キャップ本体３２は、雄ねじ部１７に螺合可能な雌ねじ部３７を有するとともに、口部１６の開口を閉塞可能な形状を有する。具体的に、内装キャップ本体３２は、雌ねじ部３７を有する内装周壁３４と、内装上壁４２と、コンタクトリング４４と、を有する。
【００３７】
内装周壁３４は、円筒状に形成された大外径部３６と、大外径部３６の外径よりも小さな外径を有する小外径部３８と、を有する。雌ねじ部３７は、大外径部３６の内周面に形成されている。
【００３８】
小外径部３８は、大外径部３６の上端部に接続されている。図６及び図８に示されるように、内装周壁３４の外面のうち大外径部３６と小外径部３８との境界には、内配置面４０が形成されている。内配置面４０は、内装周壁３４の軸方向と直交する形状を有する。なお、図７に示されるように、小外径部３８の内面にも、微小ねじ溝３９が形成されてもよい。この微小ねじ溝３９は、口部１６の雄ねじ部１７と螺合するものではない。本実施形態では、雌ねじ部３７の大外径部３６の内面からの突出寸法は、０．９５ｍｍであるのに対し、微小ねじ溝３９の小外径部３８の内面からの突出寸法は、０．１ｍｍ程度である。
【００３９】
内装上壁４２は、内装周壁３４の上端に接続されている。内装上壁４２は、円板状に形成されている。内装上壁４２の上面及び下面は、内装周壁３４の軸方向について外向き（図６及び図７の左向き）に凸となるように湾曲する形状を有している。
【００４０】
コンタクトリング４４は、内装上壁４２の下面（内面）から内向き（図７の右向き）に突出するとともに、内装上壁４２の中心軸回りに円環状に形成されている。図５に示されるように、コンタクトリング４４は、雌ねじ部３７が雄ねじ部１７に螺合した状態で中栓２０の挟持部２４の上面に接触することにより、容器１０内を密閉する。
【００４１】
各係止部５０は、内配置面４０に形成されている。各係止部５０は、内配置面４０から外装キャップ６０に向かって（図６おける左向きに）突出する形状を有する。複数の係止部５０は、内装周壁３４の周方向に沿って等間隔に配置されている。
【００４２】
図５及び図７に示されるように、各係止部５０は、内装周壁３４の径方向について、コンタクトリング４４から離間した位置に設けられている。また、各係止部５０は、内装周壁３４の軸方向について、雌ねじ部３７から離間した位置に設けられている。具体的に、各係止部５０は、内装周壁３４の軸方向についてコンタクトリング４４と雌ねじ部３７との間でかつ内装周壁３４の径方向についてコンタクトリング４４よりも外側に形成された内配置面４０に設けられている。
【００４３】
図６に示されるように、各係止部５０は、開時被押圧面５１と、閉時被押圧面５２と、を有する。この点については、後述する。
【００４４】
各リブ５４は、内装上壁４２の上面から上方に突出する形状を有している。複数の（本実施形態では４つの）リブ５４は、内装周壁３４の中心軸回りに等間隔でかつ円環状に配置されている。図７に示されるように、各リブ５４は、内装周壁３４の径方向についてコンタクトリング４４よりも内側に設けられている。このリブ５４の機能については、後述する。
【００４５】
続いて、図５、図８及び図９を参照しながら、外装キャップ６０について説明する。外装キャップ６０は、内装キャップ３０の外側に取り付けられている。外装キャップ６０は、内装キャップ３０に対して当該内装キャップ３０の軸方向に変位可能である。外装キャップ６０は、合成樹脂により形成されている。外装キャップ６０は、外装キャップ本体６２と、外装キャップ本体６２の内面に形成されており、各係止部５０とともに前記ラチェット機構を構成する複数の被係止部８０と、各リブ５４に係合可能であり外装側突出部に相当する複数のバネ片８４と、を有する。
【００４６】
外装キャップ本体６２は、内装キャップ本体３２を覆う形状を有する。外装キャップ本体６２は、外装周壁６４と、外装上壁７２と、を有する。
【００４７】
外装周壁６４は、円筒状に形成された大内径部６６と、大内径部６６の内径よりも小さな内径を有する小内径部６８と、を有する。図８等に示されるように、外装周壁６４の外周面には、ローレット６５が形成されている。図１に示されるように、外装周壁６４の外径は、首部１５の外径よりも大きい。
【００４８】
小内径部６８は、大内径部６６の上端部に接続されている。図９に示されるように、外装周壁６４の内面のうち大内径部６６と小内径部６８との境界には、外配置面７０が形成されている。外配置面７０は、外装周壁６４の軸方向と直交する形状を有する。
【００４９】
外装上壁７２は、外装周壁６４の上端部に接続されている。外装上壁７２は、円板状に形成されている。外装上壁７２は、外装周壁６４の軸方向について外向き（図９の左向き）に膨出する形状を有している。なお、外装上壁７２の上面に、当該上面から上向きに突出する形状を有する表示部が設けられてもよい。
【００５０】
各被係止部８０は、各係止部５０に係合可能な形状を有する。各被係止部８０は、外配置面７０に形成されている。各被係止部８０は、外配置面７０から内装キャップ３０に向かって（図１０における右向きに）突出する形状を有する。複数の被係止部８０は、外装周壁６４の周方向に沿って等間隔に配置されている。被係止部８０の数は、係止部５０の数と同じである。
【００５１】
各被係止部８０は、開時押圧面８１と、閉時押圧面８２と、を有する。これら各押圧面８１，８２について、内装キャップ３０の開時被押圧面５１及び閉時被押圧面５２とともに説明する。
【００５２】
開時被押圧面５１は、外装キャップ本体６２が内装キャップ本体３２に向かって押し込まれた押し込み状態で外装キャップ本体６２が開く方向（左回り）に回転操作されたときに被係止部８０の開時押圧面８１により押圧される部位である。閉時被押圧面５２は、前記押し込み状態で外装キャップ本体６２が閉まる方向（右回り）に回転操作されたときに被係止部８０の閉時押圧面８２により押圧される部位である。なお、外装キャップ本体６２が内装キャップ本体３２に向かって押し込まれていない状態で外装キャップ本体６２が回転操作されたとしても、各押圧面８１，８２は、各被押圧面５１，５２を押圧しない。
【００５３】
開時被押圧面５１と内配置面４０とのなす角は、９０度である。閉時被押圧面５２と内配置面４０とのなす角は、９０度である。開時押圧面８１と外配置面７０とのなす角は、９０度である。閉時押圧面８２と外配置面７０とのなす角は、９０度である。
【００５４】
各バネ片８４は、外装上壁７２の内面から内装上壁４２に向かって延びる形状を有するとともに、外装上壁７２と内装上壁４２とを結ぶ方向に撓むように弾性形可能である。各バネ片８４は、外装周壁６４の中心軸回りに螺旋状に形成されている。各バネ片８４は、外装キャップ本体６２が内装キャップ本体３２に向けて押し込まれていない状態である非押し込み状態において各被係止部８０が各係止部５０から離間する（前記ラチェット機構が互いに離間する）ように内装キャップ本体３２に対して外装キャップ本体６２を付勢している。各バネ片８４は、非押し込み状態で外装キャップ本体６２が口部１６に対して閉まる方向（右回り）に回転操作されたときに内装キャップ本体３２が外装キャップ本体６２と一体的に回転するように各リブ５４に係合する。具体的に、各リブ５４は、非押し込み状態で外装キャップ本体６２が口部１６に対して閉まる方向（右回り）に回転操作されたときに各バネ片８４の下端部を受ける受け部５５（図６を参照）を有する。各リブ５４の受け部５５は、外装上壁７２と内装上壁４２とを結ぶ方向について各バネ片８４の基端部（上端部）を結ぶ円と重なる部位に設けられている。また、各バネ片８４は、非押し込み状態で外装キャップ本体６２が口部１６に対して開く方向（左回り）に回転操作されたときに各リブ５４を乗り越えるように弾性変形する。具体的に、各リブ５４は、非押し込み状態で外装キャップ本体６２が口部１６に対して開く方向（左回り）に回転操作されたときに各バネ片８４が当該リブ５４を乗り越えるように案内する案内部５６（図６を参照）を有する。
【００５５】
次に、外装キャップ６０及び内装キャップ３０を取外すときの操作について説明する。
【００５６】
まず、一方の手で胴部１３ないし縮径部１４を把持し、もう一方の手で外装キャップ６０を把持する。そして、各バネ片８４の付勢力に抗して外装キャップ６０を内装キャップ３０（口部１６）に向けて押し込む。これにより、ラチェット機構が互いに係合する。具体的に、図１０に示されるように、各被係止部８０の下端部が内配置面４０に当接する。本実施形態では、口部１６の軸方向が収容部１１の軸方向に対して所定角度θ傾斜しているので、ラチェット機構が互いに係合するように外装キャップ６０を押し込む操作は、外装キャップ６０及び内装キャップ３０の取外し方を知らない幼児や子供等には困難である。
【００５７】
そして、各バネ片８４の付勢力に抗して外装キャップ６０が内装キャップ３０に向けて押し込まれた押し込み状態で（ラチェット機構が互いに係合した状態で）外装キャップ６０を口部１６に対して左回りに回転させる。そうすると、各被係止部８０の開時押圧面８１が各係止部５０の開時被押圧面５１を押圧するので、外装キャップ６０及び内装キャップ３０が一体的に口部１６に対して左回りに相対回転する。よって、各キャップ３０，６０が容器１０から取り外される。
【００５８】
一方、外装キャップ６０が内装キャップ３０に向けて押し込まれていない非押し込み状態で（ラチェット機構が互いに係合していない状態で）外装キャップ６０を左回りに回転させたとしても、開時押圧面８１が開時被押圧面５１を押圧しない、あるいは、開時押圧面８１から開時被押圧面５１に十分に力が伝達しないので、外装キャップ６０が内装キャップ３０に対して相対回転（空回り）する。このため、各キャップ６０，３０は容器１０から取り外されない。このとき、各バネ片８４は、弾性変形を伴いながら各リブ５４を乗り越える。
【００５９】
また、各キャップ６０，３０を容器１０に取り付けるときには、外装キャップ６０が閉まる方向に回転操作されればよい。具体的に、非押し込み状態であっても、外装キャップ６０が閉まる方向に回転されることによって各バネ片８４の下端部が各リブ５４の受け部５５を押圧するので、外装キャップ６０が閉まる方向に回転されることによって外装キャップ６０及び内装キャップ３０が一体的に口部１６に対して相対回転する。よって、外装キャップ６０が閉まる方向に回転操作されることによって外装キャップ６０及び内装キャップ３０が容器１０に取り付けられる。
【００６０】
以上に説明したように、本実施形態では、コンタクトリング４４が内装周壁３４の径方向について各リブ５４から離間した位置に設けられているので、換言すれば、コンタクトリング４４と各リブ５４とが内装周壁３４の軸方向に重ならない位置に設けられているので、内装キャップ３０の合成樹脂での成形時における各リブ５４に起因するコンタクトリング４４へのヒケの発生が抑制される。よって、容器１０の密閉性が確保される。
【００６１】
また、本実施形態では、内装上壁４２の上面は、内装周壁３４の軸方向について外向きに凸となるように湾曲する形状を有しているので、経年劣化に起因してバネ片８４とリブ５４との係合関係が悪化するのが抑制される。具体的に、内装上壁４２には、バネ片８４を介して内装周壁３４の軸方向に沿って内向きの荷重が作用し続けるものの、本実施形態の内装上壁４２の上面は、外装キャップ本体６２に向かって凸となるように湾曲する形状を有しているので、前記荷重によって内装上壁４２が内向きに窪むように変形すること及びそれに起因してバネ片８４とリブ５４との係合関係が悪化することが抑制される。
【００６２】
また、コンタクトリング４４は、内装周壁３４の径方向について各係止部５０から離間した位置に設けられているので、換言すれば、コンタクトリング４４と各係止部５０とが内装周壁３４の軸方向に重ならない位置に設けられているので、内装キャップ３０が合成樹脂で成形される際に、係止部５０に起因してコンタクトリング４４にヒケが生じることが抑制される。
【００６３】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６４】
例えば、内装キャップ３０の内装側突出部がバネ片を構成し、外装キャップ６０の外装側突出部がリブを構成してもよい。ただし、上記実施形態のように、内装側突出部がリブ５４を構成することにより、内装キャップ３０の製造が容易になる。具体的に、内装キャップ３０は雌ねじ部３７を有するため、この内装キャップ３０が合成樹脂で成形される際には、当該内装キャップ３０は金型から回しながら抜かれる必要がある。この場合、内装側突出部に、バネ片などの突出高さが高く複雑な構成を設けると、内装キャップ３０が金型から回し抜かれる際の金型の設計が複雑になる。よって、内装側突出部がリブ５４を構成することにより、内装側突出部がバネ片を構成する場合に比べ、内装キャップ３０の金型からの取外しが容易になる。
【００６５】
また、図１１に示されるように、内装周壁３４の径方向について内装上壁４２のうちコンタクトリング４４よりも内側の部位の上面は、内装周壁３４の軸方向と直交し、当該部位の下面は、内装周壁３４の軸方向について外向きに凸となるように湾曲する形状を有していてもよい。この態様では、内装上壁４２のうちコンタクトリング４４よりも内側の部位の厚みが確保されるので、内装キャップ３０が合成樹脂で成形される際における内装上壁４２の厚さに起因するコンタクトリング４４へのヒケの発生が抑制され、かつ、内装上壁４２が各バネ片８４から受ける荷重によって内向きに窪むように変形すること及びそれに起因してバネ片８４とリブ５４との係合関係が悪化することが抑制される。
【００６６】
また、図１２に示されるように、各バネ片８４は、螺旋状ではなく、外装上壁７２の中心（外装上壁７２と外装周壁６４の中心軸との交点）から放射状に延びる形状を有していてもよい。ただし、上記実施形態のように、バネ片８４が、外装周壁６４の中心軸回りに螺旋状に形成されることにより、外装キャップ本体６２が内装キャップ本体３２に向かって押し込まれた際にバネ片８４の基端部にかかる力が軽減されるためバネ片の耐久性が向上し、且つ、バネ片８４が外装上壁７２の中心から放射状に延びる形状に比べて、硬すぎない、適度な付勢力が得られる。
【符号の説明】
【００６７】
１    薬液供給器具
１０    容器
１１    収容部
１３    胴部
１５    首部
１６    口部
１７    雄ねじ部
２０    中栓
３０    内装キャップ
３２    内装キャップ本体
３４    内装周壁
３６    大外径部
３７    雌ねじ部
３８    小外径部
４０    内配置面
４２    内装上壁
４４    コンタクトリング
５０    係止部（ラチェット機構）
５１    開時被押圧面
５２    閉時被押圧面
５４    リブ（内装側突出部）
６０    外装キャップ
６２    外装キャップ本体
６４    外装周壁
６６    大内径部
６８    小内径部
７０    外配置面
７２    外装上壁
８０    被係止部（ラチェット機構）
８１    開時押圧面
８２    閉時押圧面
８４    バネ片（外装側突出部）
【図１】
2018158754.tif 000003
【図２】
2018158754.tif 000004
【図３】
2018158754.tif 000005
【図４】
2018158754.tif 000006
【図５】
2018158754.tif 000007
【図６】
2018158754.tif 000008
【図７】
2018158754.tif 000009
【図８】
2018158754.tif 000010
【図９】
2018158754.tif 000011
【図１０】
2018158754.tif 000012
【図１１】
2018158754.tif 000013
【図１２】
2018158754.tif 000014